(57)【要約】【課題】本発明は分散型ネットワーク無線ＲＦ指標のリアルタイム改善方法及び装置が開示されている。【解決手段】前記方法は、データ分析ユニットがＲＦモジュール付きの基地局ネットワークノードの入力電力、出力電力及びリンク利得を受信し、前記入力電力、出力電力及びリンク利得によって前記基地局ネットワークノードのラーニングモデルを確立することと、前記データ分析ユニットが、所定の入力電力と期待出力電力との対応関係により、前記入力電力に対応する期待出力電力を得ることと、前記ラーニングモデルにおいて、前記期待出力電力と前記出力電力との差が所定の範囲内になるまで、前記リンク利得を調整して、当該時刻のリンク利得を新しいリンク利得にすることと、前記データ分析ユニットが前記新しいリンク利得を前記ＲＦモジュール付きの基地局ネットワークノードに送信し、前記基地局ネットワークノードが、前記新しいリンク利得によって自身のリンク利得を調整することとが含まれる。【選択図】図２
2013546224.tif 000002
【特許請求の範囲】
【請求項１】
分散型ネットワーク無線ＲＦ指標のリアルタイム改善方法であって、
データ分析ユニットはＲＦモジュール付きの基地局ネットワークノードの入力電力、出力電力及びリンク利得を受信し、前記入力電力、出力電力及びリンク利得によって前記基地局ネットワークノードのラーニングモデルを確立するステップと、
前記データ分析ユニットは、所定の入力電力と期待出力電力との対応関係により、前記入力電力に対応する期待出力電力を得るステップと、
前記ラーニングモデルにおいて、前記ラーニングモデルの出力電力と前記期待出力電力との差が所定の範囲内になるまで、前記リンク利得を調整し、当該時刻のリンク利得を新しいリンク利得として確定するステップと、
前記データ分析ユニットは前記新しいリンク利得を前記ＲＦモジュール付きの基地局ネットワークノードに送信し、前記基地局ネットワークノードは、前記新しいリンク利得によって自身のリンク利得を調整するステップと、
を含むことを特徴とする分散型ネットワーク無線ＲＦ指標のリアルタイム改善方法。
【請求項２】
前記ＲＦモジュール付きの基地局ネットワークノードは、検出ユニットと利得調節ユニットとを含むＲＦ遠隔ユニット（ＲＲＵ）であり、
前記基地局ネットワークノードのラーニングモデルを確立することは、ＲＲＵが検出ユニットを介して入力電力、出力電力及びリンク利得を検出し収集して、前記データ分析ユニットに送信することと、前記データ分析ユニットがＲＲＵの入力電力、出力電力及びリンク利得によって、前記ＲＲＵの、入力層、中間層及び出力層を含むラーニングモデルを確立することとを含むことを特徴とする請求項１に記載の分散型ネットワーク無線ＲＦ指標のリアルタイム改善方法。
【請求項３】
前記新しいリンク利得として確定することは、
前記ラーニングモデルにおいて出力電力と前記期待出力電力との差が前記所定の範囲内にない場合、当該差が前記所定の範囲内になるまで、前記ラーニングモデルの中のリンク利得を調節し、前記ラーニングモデルの入力層、中間層及び出力層のノード重み係数を更新して、この時のリンク利得を前記新しいリンク利得として確定することとを含むことを特徴とする請求項２に記載の分散型ネットワーク無線ＲＦ指標のリアルタイム改善方法。
【請求項４】
前記新しいリンク利得によって自身のリンク利得を調整することは、
前記データ分析ユニットは確定された新しいリンク利得をＲＲＵに送信し、前記ＲＲＵが新しいリンク利得によって、利得調節ユニットを起動して、下りＲＦ利得を調節することを含むことを特徴とする請求項３に記載の分散型ネットワーク無線ＲＦ指標のリアルタイム改善方法。
【請求項５】
前記データ分析ユニットは、前記ＲＦモジュール付きの基地局ネットワークノードの接続位置関係情報及びノード生産ロット情報を収集すること、
をさらに含むことを特徴とする請求項１に記載の分散型ネットワーク無線ＲＦ指標のリアルタイム改善方法。
【請求項６】
前記新しいリンク利得が確定されてから、
前記ＲＦモジュール付きの基地局ネットワークノードが前記新しいリンク利得によりリンク利得を調整することと、
前記データ分析ユニットは前記基地局ネットワークノードにより出力された新しい出力電力を受信し、前記新しい出力電力と前記期待出力電力との差を比較して、前記差が所定の範囲内にある場合、前記基地局ネットワークノードの接続位置関係によって、基地局に記憶された前記基地局ネットワークノードの電力サンプル情報及び対応するリンク利得パラメータを更新することと、
をさらに含むことを特徴とする請求項５に記載の分散型ネットワーク無線ＲＦ指標のリアルタイム改善方法。
【請求項７】
前記差が所定の範囲内にある場合、前記基地局ネットワークノードの接続位置関係によって、基地局に記憶された前記基地局ネットワークノードの電力サンプル情報及び対応するリンク利得パラメータを更新してから、
統計ユニットは各生産ロットにおける基地局ネットワークノードのリンク利得パラメータの変化状況を統計し、前記基地局ネットワークノードに対する品質追跡を実現すること、
をさらに含むことを特徴とする請求項６に記載の分散型ネットワーク無線ＲＦ指標のリアルタイム改善方法。
【請求項８】
分散型ネットワーク無線ＲＦ指標のリアルタイム改善装置であって、
ＲＦモジュール付きの基地局ネットワークノードの入力電力、出力電力及びリンク利得を受信し、前記入力電力、出力電力及びリンク利得によって前記基地局ネットワークノードのラーニングモデルを確立する受信モジュールと、
所定の入力電力と期待出力電力との対応関係によって、前記受信モジュールにより受信された入力電力に対応する期待出力電力を得る確定モジュールと、
前記受信モジュールによって確立されたラーニングモデルにおいて、前記確定モジュールによって得られた期待出力電力と前記出力電力との差が所定の範囲内になるまで、前記リンク利得を調節して、この時のリンク利得を新しいリンク利得として確定する調節モジュールと、
前記調節モジュールによって確定された新しいリンク利得を前記ＲＦモジュール付きの基地局ネットワークノードに送信し、前記基地局ネットワークノードが前記新しいリンク利得によって自身のリンク利得を調節する送信モジュールと、を含むデータ分析ユニットを有することを特徴とする分散型ネットワーク無線ＲＦ指標のリアルタイム改善装置。
【請求項９】
各生産ロットにおける基地局ネットワークノードのリンク利得パラメータの変化状況を統計し、前記基地局ネットワークノードに対する品質追跡を実現する統計ユニット、
をさらに含むことを特徴とする請求項８に記載の分散型ネットワーク無線ＲＦ指標のリアルタイム改善装置。
【発明の詳細な説明】
【技術分野】
【０００１】
本発明は分散型ネットワークシステムに関して、特には分散型ネットワーク無線ＲＦ指標のリアルタイム改善方法及び装置に関する。
【背景技術】
【０００２】
分散型基地局はモジュール化に設計されているため、インターフェースが標準化されていて、場所の選択も便利的で、システムの拡張とアップグレードが簡易化されているなどの利点を備え、新型移動ネットワークの発展傾向に適合している。特に、時分割同期符号分割多元接続（ＴＤ−ＳＣＤＭＡ、Ｔｉｍｅ  Ｄｉｖｉｓｉｏｎ−Ｓｙｎｃｈｒｏｎｏｕｓ  Ｃｏｄｅ  Ｄｖｉｖｓｉｏｎ  Ｍｕｌｔｉｐｌｅ  Ａｃｃｅｓｓ）システムにおいて広く応用されている。
【０００３】
ＴＤ−ＳＣＤＭＡ分散型ネットワークの場合、図１に示すように、ＴＤ−ＳＣＤＭＡ分散型ネットワークは、ベースバンドユニット（ＢＢＵ、Ｂａｓｅ  Ｂａｎｄ  Ｕｎｉｔ）、ＲＦ遠隔ユニット（ＲＲＵ、Ｒａｄｉｏ  Ｒｅｍｏｔｅ  Ｕｎｉｔ）からなり、両者は光ファイバー又は他の方式により接続されている。中には、ＢＢＵは、主にＴＤ−ＳＣＤＭＡシステムにおいてキャリア周波数資源の割当、無線リンクの確立、無線リンクの制御、上がり・下り信号の変調コーディング・デコードなどの機能を実現し、ＲＲＵは、主に、ＢＢＵから送信されたＩＱ変調型号を上がり変調により増幅器ユニットを介してＴＤ−ＳＣＤＭＡ無線信号として送信することと、ユーザ信号の検出及び受信をし、下り変調を経て、ＩＱ変調信号に変換してからＢＢＵに送信することに用いられる。
【０００４】
信号変換の角度からみれば、移動通信はベースバンド信号からＲＦ信号への変換及びその逆過程に依存する。無線ＲＦ指標はＲＦ信号の評価基準として、移動通信システムの信号品質、信号カバー範囲などの主要な機能を決めている。
【０００５】
エラーベクトル振幅（ＥＶＭ）のような正確な数学的モデルによって記述できる指標は、ベースバンド側の変調・復調信号の処理方法を改善することや、ＲＦ側のクリッピング処理及び濾波器の設計を改善することなどの手法により、有効にコントロールすることができ、また通常の場合は、時間及び外部環境の変更による顕著な劣化がなく、効果が長く持続できる。
【０００６】
それに対して、ある無線ＲＦ指標に対して、その数学的モデルは通常非線形で、かつ外部環境の変更や時間の推移により、顕著な変化を起こすことがある。出力電力を例として、無線インターフェースの電力出力の正確性を確保するために、従来、メーターによって、あるロットの増幅を一括してパラメータ測定をして、線形近似の方法で近似的な増幅の利得曲線を得て、それから曲線をフォームなどの形式で保存し、基地局が動作するときに、関連曲線を呼び出して、出力電力に対して動的調整や補償を行うようなメーターにより測定する方法を採用していたが、この方法は以下のような欠陥が存在している。
１、利得曲線はあるロットの増幅に対する平均的な見積りであるため、夫々の増幅の実際の利得特性を正確に反映することができない。
２、通常の電力制御は測定経験値を用いて初歩的な調整をしてから、小さい範囲で微調整をするモデルを用いていたが、当該方法は事前に測定した特性曲線しか依存することができないため、増幅自体の利得特性が時間の推移、及び外部環境の変化により大きな偏移がある場合、動的調整が実現不可能になることがある。
【０００７】
したがって、出力電力というパラメータが外部環境の変化、及び時間の推移などの要因でランダム的な動的変化を生じやすいため、無線ＲＦ指標の不安定が起こり、無線インターフェース電力出力の正確性を確保しにくく、分散型基地局の信号変調を影響し、分散型基地局の無線ＲＦ指標に対するリアルタイムな調整が実現しにくくなっている。
【発明の概要】
【発明が解決しようとする課題】
【０００８】
本発明は、分散型ネットワーク無線ＲＦ指標のリアルタイム改善方法及び装置を提供することを目的としている。ネットワークノードの電力モデルの確立及びモデルパラメータの調整によって、ネットワークノードのリンク調整を確定し、無線ＲＦ指標のリアルタイムな調整を実現して、外部環境や時間の推移などが原因とするパラメータのランダム的な動的変化による無線ＲＦ指標の不安定を解決することが図られる。
【課題を解決するための手段】
【０００９】
本発明の一つの方面によると、分散型ネットワーク無線ＲＦ指標のリアルタイム改善方法を提供し、前記方法は以下のステップが含まれる。
【００１０】
データ分析ユニットはＲＦモジュール付きの基地局ネットワークノードの入力電力、出力電力及びリンク利得を受信し、前記入力電力、出力電力及びリンク利得によって前記基地局ネットワークノードのラーニングモデルを確立する。
【００１１】
前記データ分析ユニットは、所定の入力電力と期待出力電力との対応関係により、前記入力電力に対応する期待出力電力を得る。
【００１２】
前記ラーニングモデルにおいて、前記期待出力電力と前記出力電力との差が所定の範囲内になるまで、前記リンク利得を調整して、この時のリンク利得を新しいリンク利得として確定する。
【００１３】
前記データ分析ユニットは前記新しいリンク利得を前記ＲＦモジュール付きの基地局ネットワークノードに送信し、前記基地局ネットワークノードが、前記新しいリンク利得によって自身のリンク利得を調整する。
【００１４】
上記方案において、前記ＲＦモジュール付きの基地局ネットワークノードは、検出ユニットと利得調節ユニットとを含むＲＲＵである。
【００１５】
前記データ分析ユニットは、ＲＦモジュール付きの基地局ネットワークノードの入力電力、出力電力及びリンク利得を受信し、前記入力電力、出力電力及びリンク利得によって前記基地局ネットワークノードのラーニングモデルを確立することは、ＲＲＵが検出ユニットを介して入力電力、出力電力及びリンク利得を検出し収集して、前記データ分析ユニットに送信することと、前記データ分析ユニットがＲＲＵの入力電力、出力電力及びリンク利得によって、前記ＲＲＵの、入力層、中間層及び出力層を含むラーニングモデルを確立することとを含む。
【００１６】
上記方案において、前記ラーニングモデルには、前記期待出力電力と前記出力電力との差が所定の範囲内になるまで、前記リンク利得を調節して、この時のリンク利得を新しいリンク利得として確定ことは、前記ラーニングモデルにおいて出力電力と前記期待出力電力との差が前記所定の範囲内にない場合、当該差が前記所定の範囲内になるまで、前記ラーニングモデルの中のリンク利得を調節し、前記ラーニングモデルの入力層、中間層及び出力層のノード重み係数を更新して、この時のリンク利得を前記新しいリンク利得として確定することを含む。
【００１７】
上記方案において、前記データ分析ユニットが前記新しいリンク利得をＲＦモジュール付きの基地局ネットワークノードに送信し、前記基地局ネットワークノードが前記新しいリンク利得によって自身のリンク利得を調整することは、前記データ分析ユニットが確定された新しいリンク利得をＲＲＵに送信し、前記ＲＲＵが新しいリンク利得によって、利得調節ユニットを起動し下りＲＦ利得を調節することを含む。
【００１８】
上記方案において、前記方法は、前記データ分析ユニットが前記ＲＦモジュール付きの基地局ネットワークノードの接続位置関係情報及びノード生産ロット情報を収集することをさらに含んでいる。
【００１９】
上記方案において、前記方法は、前記データ分析ユニットは、前記ＲＦモジュール付きの基地局ネットワークノードの接続位置関係情報及びノード生産ロット情報を収集すること、をさらに含む。
【００２０】
上記方案において、前記新しいリンク利得が確定されてから、
前記ＲＦモジュール付きの基地局ネットワークノードが前記新しいリンク利得によりリンク利得を調整することと、前記データ分析ユニットは前記基地局ネットワークノードにより出力された新しい出力電力を受信し、前記新しい出力電力と前記期待出力電力との差を比較して、前記差が所定の範囲内にある場合、前記基地局ネットワークノードの接続位置関係によって、基地局に記憶された前記基地局ネットワークノードの電力サンプル情報及び対応するリンク利得パラメータを更新することと、をさらに含む。
【００２１】
上記方案において、前記差が所定の範囲内にある場合、前記基地局ネットワークノードの接続位置関係によって、基地局に記憶された前記基地局ネットワークノードの電力サンプル情報及び対応するリンク利得パラメータを更新してから、前記方法は、統計ユニットは各生産ロットにおける基地局ネットワークノードのリンク利得パラメータの変化状況を統計し、前記基地局ネットワークノードの品質追跡を実現することをさらに含む。
【００２２】
本発明のもう一つの方面によると、本発明はさらに分散型ネットワーク無線ＲＦ指標リアルタイム改善装置を提供する。前記装置は、受信モジュール、確定モジュール、調節モジュール及び送信モジュールを有するデータ分析ユニットを含む。
【００２３】
中には、受信モジュールは、ＲＦモジュール付きの基地局ネットワークノードの入力電力、出力電力及びリンク利得を受信し、前記入力電力、出力電力及びリンク利得によって前記基地局ネットワークノードのラーニングモデルを確立する。
【００２４】
確定モジュールは、所定の入力電力と期待出力電力との対応関係によって、前記受信モジュールによって受信された入力電力に対応する期待出力電力を得る。
【００２５】
調節モジュールは、前記受信モジュールによって確立されたラーニングモデルにおいて、前記確定モジュールによって得られた期待出力電力と前記出力電力との差が所定の範囲内になるまで、前記リンク利得を調節して、この時のリンク利得を新しいリンク利得として確定する。
【００２６】
送信モジュールは、前記調節モジュールによって確定された新しいリンク利得を前記ＲＦモジュール付きの基地局ネットワークノードに送信し、前記基地局ネットワークノードが前記新しいリンク利得によって自身のリンク利得を調節する。
【００２７】
上記方案において、前記装置は、さらに、
各生産ロットにおける基地局ネットワークノードのリンク利得パラメータの変化状況を統計し、前記基地局ネットワークノードに対する品質追跡を実現する統計ユニットを含む。
【発明の効果】
【００２８】
既存技術に対する本発明の有益的な効果が以下のとおりである。
１、本発明は基地局ネットワーク構築方式、既存電力校正の基本処理方法及びリアルタイム性を変更せずに、既存情報の収集、データの処理を介して、基地局ネットワークノード、特にＲＦモジュール付きのネットワークノードの特性に対して動的に評価し調整して、最終的に出力電力と期待出力電力との差が所定の範囲内になるようにして、無線出力の正確性を確保した。
２、本発明は入力電力、温度、周波数などの複数のサンプルパラメータを収集することにより、統計出力電力と期待電力との差を算出し、リンク利得を調整することにより出力電力が期待の範囲内になるようにして、無線ＲＦ指標を複数のパラメータによりリアルタイムに調整することを実現した。
３、本発明によると、基地局が正常に動作する時の無線ＲＦ指標を改善するとともに、基地局ネットワークノードの位置関係情報及び生産ロット情報を収集することにより、装置メーカに効果的な統計データを提供し、完成後の装置の品質に対して長期的な追跡が可能になる。
【００２９】
基地局において、本発明は外部の環境や時間の推移などとともにランダム的な動的変化を生じる無線ＲＦ指標のリアルタイム改善方法を提供する。さらに、装置の完成後の品質に対して長期的に追跡できるように、装置メーカに効果的な統計データを提供する。
【図面の簡単な説明】
【００３０】
【図１】既存の分散型ネットワークの構築を示す図である。
【図２】本発明に係わる、電力調整により無線ＲＦ指標に対してリアルタイムで改善することを示すフロチャート図である。
【図３】本発明に係わる、電力調整により無線ＲＦ指標に対してリアルタイムで改善する流れのブロック図である。
【図４】本発明に係わるラーニングモデルの処理ブロック図。
【図５】本発明に係わるＲＦ指標リアルタイム改善装置の動作時のブロック図。
【発明を実施するための形態】
【００３１】
以下、図面を結合しながら本発明の好適な実施例について詳しく説明する。以下に説明する好適な実施例は本発明を説明するものであるが、本発明を限定するものではない。
【００３２】
本発明に係わる分散型ネットワーク無線ＲＦ指標のリアルタイム改善方法は、基地局に対する出力電力を例としてリアルタイム改善を実現してもよく、他のパラメータを収集することにより本発明に係わるモデル方法を介して無線ＲＦ指標のリアルタイム改善を実現してもよい。
【００３３】
本発明はＲＦモデル付きの基地局ネットワークノードの電力情報を収集することで基地局ネットワークノードのリンク利得に対する調整を実現し、さらに、基地局ネットワークノードのＲＦ指標のリアルタイム改善を実現する。具体的なステップは図２に示すとおりである。
【００３４】
Ｓ２１：データ分析ユニットはＲＦモジュール付きの基地局ネットワークノードの入力電力、出力電力及びリンク利得を受信し、前記入力電力、出力電力及びリンク利得によって前記基地局ネットワークノードのラーニングモデルを確立する。
【００３５】
Ｓ２２：前記データ分析ユニットは、所定の入力電力と期待出力電力との対応関係により、前記入力電力に対応する期待出力電力を得る。
【００３６】
Ｓ２３：前記ラーニングモデルにおいて、前記期待出力電力と前記出力電力との差が所定の範囲内になるまで、前記リンク利得を調整するとともに、当該時刻のリンク利得を新しいリンク利得にする。
【００３７】
Ｓ２４：データ分析ユニットは前記新しいリンク利得を基地局ネットワークノードに送信し、前記基地局ネットワークノードが、前記新しいリンク利得によって自身のリンク利得を調整する。
【００３８】
上記ステップは、ＲＦモジュール付きの基地局ネットワークノードをリアルタイムに調整する過程である。該リアルタイム調整過程のステップＳ２１において、前記基地局ネットワークノードに対して品質追跡をするために、データ分析ユニットは、さらに前記ＲＦモジュール付きの基地局ネットワークノードの接続位置関係情報及びノード生産ロット情報を収集することができる。
【００３９】
Ｓ２４の後に、前記ＲＦモジュール付きの基地局ネットワークノードが前記新しいリンク利得により、そのリンク利得を調整する。
【００４０】
前記データ分析ユニットは、前記基地局ネットワークノードによりリンク利得が調整された後に出力した新しい出力電力を引き続き受信して、前記新しい出力電力と期待出力電力との差を比較・分析して、前記差が所定の範囲内にある場合、収集した前記基地局ネットワークノードの接続位置関係及び生産ロット情報によって、基地局に記憶された電力サンプル情報及び対応するリンク利得パラメータを更新する。その後、統計ユニットは各生産ロットにおける基地局ネットワークノードのリンク利得パラメータの変化状況を統計することで、基地局ネットワークノード装置に対する品質追跡を実現する。
【００４１】
中には、ＲＦモジュール付きのネットワークノードは、検出ユニットと利得調整ユニットを含むＲＲＵ又はその他のＲＦ機器付きのネットワークノードであってもよい。当該方法に係わるリアルタイム調整過程をはっきり説明するために、以下には、検出ユニットと利得調整ユニットを含むＲＲＵの電力収集処理を介して、当該モデル方法に係わる無線ＲＦの知的なリアルタイム改善方法を詳しく説明する。本発明に係わる具体的な流れを示すフロチャート図は図３に示すとおりである。
【００４２】
Ｓ３１：データ分析ユニットが起動され、ＲＲＵに入力電力、出力電力及びリンク利得を含む電力情報及び生産バージョン情報をリアルタイムにアップロードするように知らせ、前記ＲＲＵとの入力電力、出力電力及びリンク利得に関するラーニングモジュールを確立する。
【００４３】
Ｓ３２：ＲＲＵが検出ユニットを用い、入力電力、出力電力、リンク利得などの電力情報、及び生産バージョン情報を収集してから、前記データ分析ユニットにアップロードする。
【００４４】
Ｓ３３：データ分析ユニットはＲＲＵによりアップロードされた電力情報を受け取ってから、まず、入力電力に対応する期待出力電力を確定して、そして、前記ラーニングモデルにおける出力電力と期待出力電力との差を制御目標として、データ分析ユニットにおけるラーニングモデルのリンク利得を調整することで、前記ラーニングモデルの出力電力と期待出力電力との差が一定の制御範囲内になるようにする。前記ラーニングモデルにおいて得られた新しいリンク利得と新しい出力電力はＲＲＵ自身の実際のリンク利得と出力電力ではないため、得られた新しいリンク利得をＲＲＵに送信し、実際に調整しなければならない。
【００４５】
Ｓ３４：前記新しいリンク利得の調節がされたＲＲＵでは、出力電力と前記期待出力電力とが前記制御範囲内にない場合、当該制御範囲内になるまで、データ分析ユニットは、収集した電力情報によってラーニングモデルの調整を行う。
【００４６】
Ｓ３５：新しいリンク利得の調整がされた上記ＲＲＵでは、出力電力と前記期待出力電力とが所定の制御範囲にある場合、ＲＲＵは基地局に記憶された電力サンプル情報、及び対応するリンク利得パラメータを更新し、データ分析ユニットは、ＲＲＵの出力電力と期待出力電力とを安定にさせる電力情報を、ラーニングモデルの新しいサンプル情報として記憶する。
【００４７】
Ｓ３６：データ分析ユニットは前記ラーニングモデルの新しいサンプル情報をＲＲＵに通知する。
ここで、前記データ分析ユニットは確定された新しいリンク利得をＲＲＵに通知して、前記ＲＲＵは新しいリンク利得によって、利得調節ユニットを起動し、下りＲＦ利得を調整する。
【００４８】
Ｓ３７：ＲＲＵは自身の電力情報を引き続きリアルタイムにアップロードし、データ分析ユニットを介して引き続き電力のリアルタイム調整を行う。
【００４９】
上記Ｓ３３において、データ分析ユニットのラーニングモデルは、受信した入力電力、出力電力及びリンク利得などの情報により処理することを示すブロック図は図４に示す通りである。中には、該データ分析ユニットのラーニングモデルは、入力電力、配置電力及び環境温度という３つの入力パラメータを選択する。また、１つまたは他の複数の入力パラメータを収集してもよい。その出力パラメータは、出力電力である。
【００５０】
入力パラメータ、すなわち、出力電力、配置電力及び環境温度により、期待出力電力を確定する。
【００５１】
入力サンプルが線形分離不可能であることを明確にするために、前記ラーニングモデルには、入力層、出力層の他に、複雑な非線形関数関係を模擬する中間層をさらに備える。Ｗ１、Ｗ２、Ｗ３は各層の重み係数である。初期重み係数はＲＲＵを介して基地局に記憶した電力パラメータによりラーニングして得られるものである。ラーニングモデルにおける出力電力が期待出力電力よりも大きく、且つその差が所定の制御範囲を超えた場合、オンラインラーニングが起動され、前記差が所定の制御範囲内になるまで、ラーニングモデルにおけるリンク利得を調節して、各層の重み係数を更新する。
【００５２】
装置メーカにより製品の品質に対して追跡できるように、Ｓ３５において、統計ユニットにより、ある生産ロットにおけるＲＲＵのリンク利得の変動状況が統計されている。
【００５３】
本発明のもう一つの方面によると、分散型ネットワークＲＦ指標をリアルタイムで改善する装置を提供している。前記装置は、データ分析ユニットを含む。データ分析ユニットの位置は、ＲＲＵに配置してもよく、ＢＢＵに配置してもよく、又は、単独で配置することもでき、柔軟性がある。本実施例において、単独で配置する方式を例として説明する。中には、データ分析ユニットは、受信モジュール、確定モジュール、調整モジュール及び送信モジュールを含む。
【００５４】
受信モジュールは、ＲＦモジュール付きの基地局ネットワークノードの入力電力、出力電力及びリンク利得を受信し、前記入力電力、出力電力及びリンク利得によって前記基地局ネットワークノードのラーニングモデルを確立する。
【００５５】
確定モジュールは、所定の入力電力と期待出力電力との対応関係によって、前記受信モジュールにより受信された入力電力に対応する期待出力電力を得る。
【００５６】
調節モジュールは、前記受信モジュールによって確立されたラーニングモデルにおいて、前記確定モジュールにより得られた期待出力電力と前記出力電力との差が所定の範囲内になるまで調節するとともに、当該時刻のリンク利得を新しいリンク利得として確定する。
【００５７】
送信モジュールは、前記調節モジュールによって確定された新しいリンク利得を前記ＲＦモジュール付きの基地局ネットワークノードに送信し、前記基地局ネットワークノードが前記新しいリンク利得によって自身のリンク利得を調節する。
【００５８】
本発明は、ネットワークノードの装置に対する品質追跡を実現するための各生産ロットにおける基地局ネットワークノードのリンク利得パラメータの変化状況を統計する統計ユニットをさらに含む。統計ユニットは独立したサーバで実現することもできるし、イーサネット（登録商標）ポート又は他の通信方式により基地局へ接続することもできる。
【００５９】
図５に示すように、ＲＲＵは、まず、自身の検出ユニットを介してノードの入力電力、出力電力及びリンク利得などの電力情報を検出し収集して、そして、自身の通信ユニットにより前記電力情報を前記データ分析ユニットにリアルタイムにアップロードして、前記データ分析ユニットは自身の受信モジュールによりＲＲＵからアップロードされた電力情報を受信して関連するラーニングモデルを確立し、その自身の確定モジュールにより前記入力電力に対応する期待出力電力を確定して、その自身の調節モジュールによりラーニングモデルにおける電力情報を調節して、最後に新しいリンク利得を確定し、自身の送信モジュールにより確定した新しいリンク利得をＲＲＵに送信し、ＲＲＵによりその利得調節モジュールを用いて下りＲＦ利得を調節する。
【００６０】
ＲＲＵにより下り利得機器が調節されてから、新しい電力情報をデータ分析ユニットに送信する。前記新しい電力情報の中の出力電力と前記期待出力電力とが安定である場合、ＲＲＵが基地局に記憶された前記基地局ネットワークノードの電力サンプル情報及び対応するリンク利得パラメータを更新し、最後に統計ユニットは前記基地局ネットワークノードのリンク利得パラメータの変化状況により基地局ネットワークノードの品質に対して長期的な追跡をする。
【００６１】
上記内容は具体的な好適実施形態により本発明をさらに詳しく説明するものであるが、本発明の具体的な実施例は上記説明に限られるわけではない。当業者による本発明の精神や原則を逸脱しないいずれの変更、置換、改良なども本発明の保護範囲内に含まれる。
【図１】
2013546224.tif 000003
【図２】
2013546224.tif 000004
【図３】
2013546224.tif 000005
【図４】
2013546224.tif 000006
【図５】
2013546224.tif 000007
【国際調査報告】
2013546224.tif 000008
2013546224.tif 000009
2013546224.tif 000010
2013546224.tif 000011